(57)【要約】【課題】一定の保形性や耐久性を有すると共に、その構築及び解体が容易な小屋構築用の柱梁ユニット及びこれを用いた小屋構築体を提供する。【解決手段】柱梁ユニット１は、端部どうしを連結して屋根勾配を成す一対の登り梁部材２と、各登り梁部材の両端部付近に各端部を連結させて立設保持するための一対の柱部材３と、一対の柱部材に一端側を連結させると共に、対向する柱部材が連結した登り梁部材の途中位置に他端側を連結させて交差状に配置して全体を保形するための一対の梁支持部材４と、から構成する。梁支持部材の交差部も同様に連結する。各部材の連結手段５は、ボルトとナットの締結態様としている。小屋構築体は、保形した複数の柱梁ユニットの妻面位置を平行に対向、かつ桁行方向に適宜の間隔で配置して成る柱梁ユニット群と、柱梁ユニット群を桁部材、軒桁部材、等の取り付けによって構築する。【選択図】図１
2012172485.tif 000002
【特許請求の範囲】
【請求項１】
端部どうしを連結して屋根勾配を特定するための一対の登り梁部材と、
該連結した一対の登り梁部材の両端部付近にそれぞれの端部を連結させて立設保持するための一対の柱部材と、
該一対の柱部材のそれぞれに一端側を連結させると共に、対向する柱部材が連結した登り梁部材の中間付近に他端側を連結させて交差状に配置して全体を保形するための一対の梁支持部材と、
から成ることを特徴とする小屋構築用の柱梁ユニット。
【請求項２】
一対の梁支持部材の交差部が、連結部であることを特徴とする請求項１記載の小屋構築用の柱梁ユニット。
【請求項３】
梁支持部材と柱部材の連結において、
柱部材との連結位置が長手方向に沿って選択可能な連結手段であることを特徴とする請求項１、又は２記載の小屋構築用の柱梁ユニット。
【請求項４】
請求項１、２、及び請求項３に記載した連結が、
少なくとも、締緩結合、ピン結合、剛結合、嵌合結合、及び係合結合のいずれか又はこれらを組み合わせた構造であることを特徴とする小屋構築用の柱梁ユニット。
【請求項５】
連結した一対の登り梁部材を所定の屈曲角で保持すると共に柱部材を設置位置に立設保持し、かつ梁支持部材の他端側を対向する柱部材に剛結することによって保形した請求項１乃至請求項４記載の小屋構築用の柱梁ユニットと、
該柱梁ユニットの２個以上を妻面位置とこれと平行に対向する位置でかつ桁行方向に適宜の間隔で配置した適宜の個数の柱梁ユニット群と、
該柱梁ユニット群の各登り梁部材及び各柱部材を互いに、桁部材、棟木部材、軒桁部材、母屋部材、及び土台のいずれか、又はこれらを組み合わせた部材の取り付けによって保形して構築したことを特徴とする小屋構築体。
【発明の詳細な説明】
【技術分野】
【０００１】
本願発明は、小屋構築用の柱梁ユニット及びこれを用いた小屋構築体に関する。
【背景技術】
【０００２】
近年の需要の多様化から、一般家庭、工事現場、又は小規模な農家や作業所等において、屋外に設置する屋根着きで、かつ、ある程度の耐久性を有した小規模仮設小屋の要請が高まってきている。
【０００３】
この様な小規模仮設小屋の需要に対しては、例えば、パイプ構築骨体をビニール布で覆っただけの簡易な構造であって、容易に組み立てができるいわゆるビニールハウスが有る。一方、高耐久性のものとしては、木軸や鉄骨で構築された物置小屋などが存在している。
【０００４】
比較的簡易な固定構築物に用いるユニットに関するものとしては、例えば、「木造建築物の屋根用ユニット」（特許文献１）が開示されている。この屋根用ユニットは、２本の天井根太の一端どうしが接続可能に接続金具を設け、各天井根太の他端近傍部には各たる木の下端近傍部をアイプレートにて回転自在に接続し、各天井根太の他端近傍部に接続したたる木の上端どうしが接続金具を介して回転自在に接続して折り畳み自在に構成したものである。
【０００５】
その他には、組み立て性を考慮した「屋根トラス」（特許文献２）が開示されている。この屋根トラスは、水平下弦材の中央部に回動自在に取付けた束材の上端部の一側と他側とにそれぞれ一方の斜材と他方の斜材との各上端部を回動自在に取付けて、水平下弦材に対して束材が横に倒れ且つ一方の斜材と他方の斜材とがいずれも横に倒れた折り畳み姿勢と、水平下弦材に対して束材が垂直に起立し且つ一方の斜材と他方の斜材の各下端部が水平下弦材の一端部及び他端部に位置するトラス組み立て姿勢とを可能とするものである。
【先行技術文献】
【特許文献】
【０００６】
【特許文献１】特開平９―２２８５３１号公報（第２−３頁、図１、３）
【特許文献２】特開２００２―３８６４５号公報（第２―４頁、図１、３）
【発明の概要】
【発明が解決しようとする課題】
【０００７】
しかし、これらのビニールハウスや物置小屋、及び特許文献に開示されたユニット等は、小規模仮設小屋における多様な要請に叶うものではなかった。すなわち、上記の簡易構造のビニールハウスでは、強風や積雪などの気候変動に影響され易くて全体の保形性や耐久性（耐用年数１〜３年程度）に問題があった。これとは逆に、木や金属などの剛材を構造材として用いたビニールハウスや上記特許文献に開示された構造のユニット等は、固定設置で高耐久性建築物であるため、その構築には相応の時間と費用（購入時及び維持コスト等）を要するだけでなく、その構築及び解体も煩雑なために迅速な分解移動にも不向きであり、設置場所も限定される問題点があった。
【０００８】
そこで、本願発明は、上記した課題を解決して、所望仕様を満たす小屋構築用の柱梁ユニット及びこれを用いた小屋構築体を提供するものである。
【課題を解決するための手段】
【０００９】
本願発明の小屋構築用の柱梁ユニットは、上記課題を解決するため、以下の構成を採用している。
【００１０】
すなわち、端部どうしを連結して屋根勾配を特定するための一対の登り梁部材と、該連結した一対の登り梁部材の両端部付近にそれぞれの端部を連結させて立設保持するための一対の柱部材と、該一対の柱部材のそれぞれに一端側を連結させると共に、対向する柱部材が連結した登り梁部材の中間付近又は途中位置に他端側を連結させて交差状に配置して全体を保形するための一対の梁支持部材と、から成ることを特徴としている。
【００１１】
上記の登り梁部材、柱部材、及び梁支持部材は、断面形状を同一寸法とすると共に長さ寸法が異なる木材、例えば、同一断面形状の間伐材を選択することが好適である。かかる間伐材は、入手も容易である上にコスト削減や資源の有効活用の点でも優れる。各部材の他の材料としては、金属材、金属パイプ、樹脂材、樹脂パイプ、竹材、等の材料を選択しても良く、適宜に木材と金属材の組み合わせのように複数の材質の組み合わせを選択するようにしても良い。
【００１２】
また、上記一対の梁支持部材の交差部も他の部材の連結と同様の連結部とし保形力を向上させることが好適である。さらに、梁支持部材と柱部材の連結は、梁支持部材の柱部材に対する連結位置が柱部材の長手方向に沿って選択可能な連結手段とすることが好適である。
【００１３】
上記各部材の連結は、少なくとも、締緩結合、ピン結合、剛結合、嵌合結合、及び係合結合のいずれか又はこれらを組み合わせた構造としている。締緩結合としては、例えば、ボルトとナットを締結する態様や蝶ネジや蝶ナットを締結する態様がある。また、ピン結合としては、一方に形成したピンを他方に配設したブッシュに嵌入（圧入）する態様がある。剛結合としては、各部材が木材である場合は釘打ちとする態様があり、各部材が樹脂材や樹脂パイプである場合は接着材を用いた態様がある。嵌合結合としては、一方に形成した円柱、角柱の所定形状の凸部をこれと同形に形成した他方の凹部と嵌め合わせる態様がある。係合結合としては、両方に形成した突起どうしを係わらせる態様がある。
【００１４】
ここで、柱部材と梁支持部材の連結箇所を除いた各部材どうしの連結は、必要により回動自在とする連結態様、例えば、ボルトとナットの締緩結合を採用して締緩自在とする態様が好適である。かかる連結態様を採用し、ボルト及びナットを適宜に緩めれば各部材の連結部が回動自在となって柱梁ユニット全体がリンク構造を成す。この結果、柱部材の立設状態を維持しつつ、各柱部材を離したり近づけたりする方向に動かすことができ、さらには柱部材どうしを近接させて折り畳むこともできる。
【００１５】
上記構成の柱梁ユニットを用いた小屋構築体は、以下の構成を有すること特徴としている。
すなわち、連結した一対の登り梁部材を所定の屈曲角で保持すると共に柱部材を設置位置に立設保持し、かつ梁支持部材の他端側を対向する柱部材に剛結することによって保形した柱梁ユニットと、該柱梁ユニットの２個以上を妻面位置とこれと平行に対向する位置でかつ桁行方向に適宜の間隔で配置した適宜の個数の柱梁ユニット群と、該柱梁ユニット群の各登り梁部材及び各柱部材を互いに、桁部材、棟木部材、軒桁部材、母屋部材、及び土台のいずれか、又はこれらを組み合わせた部材の取り付けによって保形して構築したことを特徴としている。
【００１６】
柱梁ユニットと桁部材等の取り付けは、部品点数削減やコスト削減の観点から柱梁ユニットで採用した連結態様と同じとすることが好適である。例えば、柱梁ユニットの連結をボルトとナットからなる締緩結合とした場合は、柱梁ユニットと桁部材等の取り付けに関してもこの締緩結合とすることが好適である。また、桁部材等の材質も柱梁ユニットと同じ材料を選択することが好適であるが、強度等を考慮して金属材、樹脂材、または複数の材質の組み合わせを選択しても良い。
【発明の効果】
【００１７】
本願発明の柱梁ユニットは上記構成であるため、以下の効果を奏する。
まず、登り梁部材及び柱部材の連結によって小屋構築用の枠組みを成し、これを梁支持部材によって支持する構成であるため、ある程度の保形性や耐久性を有する共に容易に、かつ、迅速に組み立て及び分解ができる。組み立て及び分解が容易であるため、小屋構築後の分解移動だけでなく一部の部材の交換も容易となり、メンテナンス性も良いものである。
【００１８】
また、連結部を緩めると共に柱部材と梁支持部材の連結を解除すれば、柱梁ユニットの各部材間が回動自在となってリンク構造を成し、柱部材を近づけたり離れたりする方向に移動できる。このため、柱部材間の寸法や登り梁部材が成す屋根勾配を適宜に変更でき、柱梁ユニット全体の外形寸法や内部空間の寸法を適宜に変更できる。
【００１９】
さらに、柱梁ユニットは上記のように連結部を回動自在とした場合、柱部材を近接させることにより折り畳むことが可能となる。この場合は柱梁ユニット全体がコンパクトとなるために搬送が容易となり、設置場所以外の工場等で予め複数ユニットを組み立てした後、折り畳んだ状態で設置現場に搬送することもできる。この結果、設置現場での組み立てがさらに容易、かつ、迅速となる。
【００２０】
柱梁ユニットは、連結部を剛結することにより保形した後、その複数を妻面位置とこれと平行に対向する位置でかつ桁行方向に適宜の間隔で配置すると共に、桁部材、棟木部材、軒桁部材、母屋部材、及び土台を取り付けて連結すれば、小屋構築体を容易に得ることができる。この小屋構築体も柱梁ユニットと同様に一部の部材の交換が容易であり、そのメンテナンス性も良いものである。
【００２１】
また、この小屋構築体も柱梁ユニットと同様に連結部を締緩することにより、柱部材間の寸法や登り梁部材が成す屋根勾配を適宜に変更でき、その設置場所の自由度が高く、内部空間の大きさも適宜に変更できる。
【図面の簡単な説明】
【００２２】
【図１】本願発明の小屋構築用の柱梁ユニットを示す斜視図である。
【図２】図１のＡ部分を拡大して示す組立斜視図である。
【図３】図１のＢ部分を拡大して示す組立斜視図である。
【図４】本願発明の柱梁ユニットの変形状態を示す説明図（Ａ）、（Ｂ）である。
【図５】本願発明の柱梁ユニットを用いた小屋構築体を示す斜視図である。
【発明を実施するための形態】
【００２３】
以下、本願発明にかかる柱梁ユニットの実施形態例（以下、「本ユニット」と称する。）を添付図面に基づいて詳細に説明する。
【００２４】
図１に示す本ユニット１は、間伐材から３寸角（約９ｃｍ）に形成した一対の登り梁部材２、２、一対の柱部材３、３、及び一対の梁支持部材４、４から主に構成している。なお、以下の説明では図１の右下側を本ユニット１の「右側」と、左上側を「左側」と定義し、図面上で見える側を「前側」と、隠れて見えない側を「後側」と定義して用いる。
【００２５】
登り梁部材２は、その一端側どうしを所定の屋根勾配を形成しつつ、右側の登り梁部材２が前側となるように連結している。登り梁部材２の連結手段５は、締緩結合の態様を採用している。具体的には、各登り梁部材２、２に形成した連結口５４にボルト５１を挿入し、これをナット５２及び２枚のワッシャ５３をもって締結する態様である。かかる連結態様であるため、ボルト５１又はナット５２の締結状態を緩めれば、一対の登り梁部材２、２は相互に回動自在となる。なお、連結手段５は、回動可能に連結できれば、例えば、蝶ネジと蝶ナット、ピンとブッシュまたはシャフトとシャフトホルダーからなるピン結合、等の他の態様に変更しても良い。
【００２６】
登り梁部材２、２どうしが連結する反対側端部の各々には、立設させた柱部材３、３の上端部側を連結している。登り梁部材２が所定の屋根勾配を形成することに対し、柱部材３は略鉛直となるように連結し、登り梁部材２を立設保持している。ここで、右側の柱部材３は登り梁部材２の後側に連結し、左側の柱部材３は登り梁部材２の前側に連結している。
【００２７】
登り梁部材２と柱部材３の連結態様も登り梁部材２どうしの場合と同様に登り梁部材２及び柱部材３に形成した連結口５４にボルト５１を挿入し、これをナット５２及びワッシャ５３をもって締結している。そして、ボルト５１又はナット５２の締結状態を緩めれば、登り梁部材２と柱部材３は相互に回動自在となる。また、柱部材３の長手方向に沿って登り梁部材２が連結する以外の複数の連結口５４を形成している。柱部材３の連結口５４は必要により長孔５４ａに変形しても良い。この複数の連結口５４や長孔５４ａの任意の箇所には、後述する梁支持部材４の端部が連結する。
【００２８】
上記のように連結した登り梁部材２及び柱部材３には、一対の梁支持部材４、４の両端部が同態様の連結手段５をもって交差するように連結している。一方の梁支持部材４は右側下端が右側の柱部材３の上部側であって登り梁部材２の連結位置の下方に連結し、その左側上端は左側の登り梁部材２の上方側の途中位置に連結している。他方の梁支持部材４は、上記した一方の梁支持部材４とは対称を成し、左側下端が左側の柱部材３の上部側であって登り梁部材２の連結位置の下方に連結し、その右側上端は右側の登り梁部材２の上方側の途中位置に連結している。一対の梁支持部材４、４は、上方側が交差した略Ｘ字を描くような配置となり、登り梁部材２と柱部材３と共に、本ユニット１の全体を保形している。
【００２９】
また、右側に位置する梁支持部材４は右側の柱部材３や左側の登り梁部材２に対して前側に連結し、左側に位置する梁支持部材４は左側の柱部材３や右側の登り梁部材２に対して後側に連結すると共に、右側の梁支持部材４の後側に連結している。梁支持部材４どうしの交差部分も他の部材と同じ連結手段５をもって連結している。
【００３０】
本ユニット１は、一対の登り梁部材２、２と一対の柱部材３、３とが、上記したように連結して所定の屋根勾配の柱梁構造を成し、この登り梁部材２の途中位置と柱部材３の上部とを一対の梁支持部材４、４が交差状に連結して全体を保形かつ補強した形態である。
【００３１】
本ユニット１は、かかる形態であるため、以下の特性を有する。
すなわち、本ユニット１は、登り梁部材２、柱部材３、及び梁支持部材４の連結手段５をボルト５１とナット５２の締結としているため、ボルト５１の締結状態を緩めると共に柱部材３と梁支持部材４の連結位置を適宜に変更すれば、図４の（Ａ）に示すように、本ユニット１の柱部材間の寸法を変更することができる（矢印ａ）。また、これに連動して登り梁部材２の連結位置の高さ寸法を変更することができる（矢印ｂ）。このため、柱部材３には、梁支持部材４との連結位置を選択可能な複数の連結口５４をその長手方向に形成している。この連結口５４は必要によって長孔５４ａに変形しても良い。また、柱部材３と梁支持部材４の連結位置をより柔軟に選択した後に固定できるように、両者の連結を釘、鎹、等の別の結合手段に変更しても良い。
【００３２】
また、本ユニット１は、柱部材３と梁支持部材４との連結手段５を解除し、対向する柱部材３、３を近接させるように各連結手段５を回動させれば（矢印ｃ）、図４の（Ｂ）に示すように、折り畳むことができる。このように折り畳んだ本ユニット１は搬送が容易となる。
【００３３】
本ユニット１は上記のように簡易な構成であるため、設置現場で容易に組み立てや分解ができる一方、予め工場等で組み立てた後に折り畳み状態で搬送し、設置現場で展開した後、柱部材３と梁支持部材４とを連結して組み立てることもできる。
【００３４】
次に、本ユニット１を用いた小屋構築体６（以下、「小屋構築体」と略称する。）について説明する。
【００３５】
まず、複数の本ユニット１をその連結手段５をもって組み立て、又は折り畳み状態から展開して連結手段５のボルト５１とナット５２を強固に締結して保形する。この組み立て及び強固に締結する時には、柱部材３と梁支持部材４との連結位置を上下動させて柱部材間の寸法を調整しておく必要がある。
【００３６】
次に、複数個（本実施例では３個）の本ユニット１を、その妻面位置を平行に対向させつつ桁行方向に適宜の間隔で配置して本ユニット群を成し、これに軒桁部材６１、母屋部材６２、及び桁部材６３の取り付けによって保形することによって小屋構築体６を構築する。軒桁部材６１及び桁部材６３は前後に位置する柱部材３どうしを連結し、母屋部材６２は登り梁部材２どうしを連結する。かかる連結も本ユニット１の連結と同様にボルト５１、ナット５２、及びワッシャ５３からなる連結手段５を用いて部品点数の低減を図っている。
【００３７】
小屋構築体６の構築後でも所定箇所の連結手段５を緩めると共に、柱部材３と梁支持部材４の連結位置を変更すれば、小屋構築体６の柱部材間の寸法や小屋全体の高さ寸法を容易に変更することができ、その設置位置の変更にも柔軟に対応できる。
【００３８】
また、各部材の一部を容易に交換できる上に、必要により小屋構築体６に棟木部材や土台（図示省略）を追加して、その構造的強度を向上させることもできる。軒桁部材６１、母屋部材６２及び桁部材６３と本ユニット１との連結は、ボルト５１とナット５２による連結手段５の形態に限定するものではなく、釘、鎹、ロープ、等の他の手段に変更しても良い。
【００３９】
小屋構築体６の構築の完了後には、適宜にビニールシート等で全体を覆ったり、トタン板やベニヤ板を所望位置に貼り付けたりして、いわゆるビニールハウスや他の目的の小規模仮設小屋として用いることができる。
【符号の説明】
【００４０】
１  本ユニット
２  登り梁部材
３  柱部材
４  梁支持部材
５  連結手段
５１  ボルト
５２  ナット
５３  ワッシャ
５４  連結口
５４ａ  長孔
６  小屋構築体
６１  軒桁部材
６２  母屋部材
６３  桁部材
【図１】
2012172485.tif 000003
【図２】
2012172485.tif 000004
【図３】
2012172485.tif 000005
【図４】
2012172485.tif 000006
【図５】
2012172485.tif 000007